(57)【要約】      （修正有）【課題】冷媒やお湯等を循環させるような大規模な装置を備えることなく、同一の容器により特定の物品を効率よく加冷、加熱し、且つその状態を維持することのできる小型で軽量な保冷・保温容器を提供する。【解決手段】物品収納部及び開閉自在なカバーとより構成され、該物品収納部の内側底部には熱伝導の良好な板を上面とした加冷・加熱装置を設けた保冷・保温容器。【選択図】図１
0003120285.tif 000002
【実用新案登録請求の範囲】
【請求項１】
物品収納部及び開閉自在なカバーとより構成され、該物品収納部の内側底部には熱伝導の良好な板を上面とした加冷・加熱装置を設けたことを特徴とする保冷・保温容器。
【請求項２】
加冷・加熱装置としてペルチェ効果素子を設けたことを特徴とする請求項１に記載の保冷・保温容器。
【考案の詳細な説明】
【技術分野】
【０００１】
本考案は、保冷或いは保温を必要とする各種物品に対して同一の容器により加冷又は加熱を可能とし、保冷或いは保温状態を維持させることのできる容器に関するものである。
【背景技術】
【０００２】
従来より、物品に加冷し、その保冷状態を維持するには冷蔵庫が、物品に加熱し、その保温状態を維持するには温蔵庫が、その各々の目的に応じて別個のものが使用されている。また、それら冷蔵庫や温蔵庫は主として冷媒やお湯等を循環させることによって目的を達成しているものであり、そのために大掛りな装置を備えたものであり、且つ各種の物品を同時に多量に保冷・保温して保管することを目的としている。
【０００３】
他方、実用新案登録第３０６７０４９号のように容器内を断熱隔壁によりニ分割し、上方部を保温庫に、下方部を保冷庫として使用したコンパクトな保冷・保温庫が知られている。
【特許文献１】実用新案登録第３０６７０４９号
【考案の開示】
【考案が解決しようとする課題】
【０００４】
上記、従来の大型の冷蔵庫や温蔵庫は冷媒やお湯等を使用することにより多くの様々な物品を同時に且つ大量に保冷或いは保温するのには適しているが、特定の物品の少量を加冷し又は加熱して保冷或いは保温状態を維持させるための容器としては極めて効率が悪いものとなる。また、冷媒やお湯等を循環させる等の設備を備えるため大きな収納物となり且つ高価なものとなっていた。更に、保冷するには冷蔵庫が、保温するには温蔵庫が各々別個に必要であり、保管場所として大きなスペースを必要とした。
【０００５】
また、上記文献のように容器内を２分割し、保冷と保温とを可能としたものは加熱を電熱板により、冷却を他の手段により行なうものであり、両装置を備える必要があった。更に、２分割した目的は保冷或いは保温を必要とする多品種の物品を同時に取り扱う必然性があったからであり、本考案のように予め特定された物品を保冷或いは保温するのであれば２分割する必要はなく、且つ加冷・加熱装置を工夫することにより２種類の異なった装置を備える必要性もなくなる。
本考案は、上記欠点を解決したもので、冷媒やお湯等を循環させる大規模な装置を備えることなく、同一の容器により特定の物品を効率よく加冷、加熱し、且つその状態を維持することのできる小型で軽量な保冷・保温容器を提供するものである。
【課題を解決するための手段】
【０００６】
本考案は、物品収納部及び開閉自在なカバーとより構成され、該物品収納部の内側底部には熱伝導の良好な板を上面とした加冷・加熱装置を設けた保冷・保温容器を特徴とする。
【０００７】
また、上記加冷・加熱装置としてペルチェ効果素子を設けた保冷・保温容器を特徴とする。
【考案の効果】
【０００８】
本考案は、食品、惣菜、飲料、薬品、化粧品、化学品、タオル等から選ばれた各種物品を一個の容器において加冷又は加熱し、保冷或いは保温状態を維持することを可能としたものである。その際、温度応答性が良好で加冷及び加熱に即座に対応することができ、且つその状態を維持することを可能とした。
【０００９】
また、小型軽量化することにより持ち運びが容易となり、使用上の自由度が著しく向上した。
【００１０】
更に、加冷・加熱手段としてペルチェ効果素子を採用したことによりフロン等の冷媒を使用することがなく、環境に悪影響を与えることが無くなった。
【考案を実施するための最良の形態】
【００１１】
以下、本考案を実施例に基づき説明する。
【実施例】
【００１２】
図１は本考案の保冷・保温容器の斜視図、図２、３は同じく正面図及び側面図を示している。保冷・保温容器１は、物品収納部２及び開閉自在なカバー３とより構成され、該物品収納部２にはその底部に加冷・加熱装置４及びその上方部にはアルミ板５を形成している。
【００１３】
加冷・加熱装置４としては、ペルチェ効果素子を利用する。図４は、ペルチェ効果素子のペルチェモジュールを示した概略図で、該ペルチェ効果素子は直流電流により加冷・加熱及びその状態の維持並びに温度制御を行なうことのできる半導体素子である。
【００１４】
ペルチェモジュールに直流電流を流すと半導体素子の両面に温度差が発生する。低温側では吸熱が行なわれ、高温側では発熱が起こり放熱されることになる。従って、ペルチェモジュールでは低温側から高温側へと熱の移動が行なわれることになる。この状態では上方部に配置した物品は熱が奪われ、冷却されることになる。
【００１５】
他方、電流の極性を変えることによりポンピングする熱の方向を逆にすることができ、上記と逆の現象である上方部に配置した物品に対して加熱することが可能となる。
【００１６】
加冷及び加熱の強さは電流の大きさを変えることにより熱量の大きさを変えることができ、その保持状態を含め温度制御が簡単で且つ温度応答性が良く、物品を直ちに冷やし或いは熱くすることが可能である。
【００１７】
また、上記ペルチェモジュールは、フロン等の冷媒手段を使用しないので環境に対して悪影響を与えることがない。更に、小型且つ軽量で、疲労劣化、破損する機械部品も存在しないため長寿命が可能で信頼性を極めて高くすることができる。
【００１８】
上記アルミ板５は、熱伝導性が良好であり、加冷・加熱を直ちに物品に伝えることができ、且つその状態を保持するのに有効である。材質としては表面側をアルマイト加工等により防食加工を施した約２ｍｍ厚のものが最適である。容器１内に着脱自在に設けることにより取り替えを容易とすることができる。
【００１９】
図５は、上記加冷・加熱装置の概略図を示している。アルミ板５の下部に加冷・加熱ユニット６を固定し、電源７と連結する。該加冷・加熱ユニット６の側面或いは下面には送風ファン８を配置し、加冷・加熱ユニット６からの冷気或いは暖気を効率よくアルミ板５に伝える。
【００２０】
上記カバー３は、透明或いは半透明とすることにより物品収納部２に収納した物品を外側より可視することが可能となる。該カバー３は、正面側のプッシュオープンフック９への押圧操作により開放することができ、本体側ヘの押し付け操作により閉鎖することができる。
【００２１】
物品収納部２の底面や側面は断熱材で形成することにより保冷・保温状体を効率よく維持することができる。また、内側側面には内側空間に向けて開口部１０及びファン１１を形成する。該開口部１０は、冷気或いは暖気の出入口で、該ファン１１は物品収納部２内の空間に生じた臭い或いは余分な冷・暖気を強制的に物品収納部２外へ排出することができる。
【００２２】
また、同様に内側側面に温度計或いは室温検知計１２を設け、収納部空間の温度を測ることにより手動或いは自動的に収納部２内の温度を一定とする制御をすることができる。
【００２３】
物品収納部２を形成する本体の外側部には外気を導入或いは収納部２内の冷・暖気を排出するためのガラリ１３を形成する。上記開口部１０と連通して吸排気を達成することになる。
【００２４】
更に、外側部には電源７と連結されたスイッチ１４及び室温調整用ダイヤル１５を設けている。物品収納部２内に室温検知計１２を設置した場合はそれと温度制御装置を連動させることにより予め設定した室温に自動的に制御することが可能となる。
【００２５】
上記実施例では加冷及び加熱の手段としてペルチェ効果素子を使用したが、必要に応じて冷媒等を伴なわない加冷・加熱装置とすることが可能である。
【図面の簡単な説明】
【００２６】
【図１】本考案の保冷・保温容器の一実施例の斜視図。
【図２】同正面図。
【図３】同側面図。
【図４】ペルチェ効果素子の原理を示す概略図。
【図５】物品収納部の内側底部の構造を示す一実施例の概略図。
【符号の説明】
【００２７】
１                  保冷・保温容器
２                  物品収納部
３                  カバー
４                  加冷・加熱装置
５                  アルミ板
６                  加冷・加熱ユニット
７                  電源
８                  送風ファン
９                  プッシュオープンフック
１０                開口部
１１                ファン
１２                温度計或いは室温検知計
１３                ガラリ
１４                スイッチ
１５                室温調整用ダイヤル
【図１】
0003120285.tif 000003
【図２】
0003120285.tif 000004
【図３】
0003120285.tif 000005
【図４】
0003120285.tif 000006
【図５】
0003120285.tif 000007